(57)【要約】【課題】  簡単な構造で、しかもアクチュエータを必要とせず、降雪の撮影時に、フード内の積雪を確実に除去すること。【解決手段】  フード４の内側には、フード４の内周面に略接しながら光軸方向Ｌに沿って移動可能であるリング状部材１０が設けてある。フード４には、軸方向案内溝１１が形成してある。リング状部材１０には、その外周縁に、軸方向案内溝１１に係合したピン１３を介して、操作部材１４が設けてある。従って、操作部材１４を摘みながら、操作部材１４を軸方向案内溝１１に沿って光軸Ｌに平行な方向に移動する。これにより、リング状部材１０が光軸Ｌと平行な方向に移動し、フード４の内周に積もった積雪Ｓを、フード４の外側へ排出することができる。【選択図】  図１
2007033664.tif 000002
【特許請求の範囲】
【請求項１】
撮影レンズを備えたレンズ鏡筒本体の先端部に着脱するレンズ鏡筒用フードにおいて、
前記フード内に、当該フードの内周面に略接しながら光軸方向に沿って移動可能であるリング状部材を有することを特徴とするレンズ鏡筒用フード。
【請求項２】
前記フードの外周側にあって前記リング状部材を操作する操作部材をさらに有することを特徴とする請求項１に記載のレンズ鏡筒用フード。
【請求項３】
前記リング状部材は、光軸に略垂直面内において、その内周部を縮径可能である縮径可能部材を有することを特徴とする請求項１又は２に記載のレンズ鏡筒用フード。
【請求項４】
前記縮径可能部材は、内周部を縮径可能であって縮径した状態で前記リング状部材と共に光軸に沿って移動する複数の羽根を有することを特徴とする請求項３に記載のレンズ鏡筒用フード。
【発明の詳細な説明】
【技術分野】
【０００１】
本発明は、レンズ鏡筒の先端部に着脱するレンズ鏡筒用フードに関する。
【背景技術】
【０００２】
レンズ鏡筒において、撮影時のゴーストやフレアの原因となる光線を遮断するため、レンズ鏡筒の先端部に、円筒形状や花形形状のフードを着脱自在に装着することが広く知られている。また、フードには、屋外での撮影時に、雨や埃等がレンズ表面に付着しづらくする効果がある。さらに、フードには、降雪時に、レンズ表面に、雪を付着しづらくする効果もある。
【０００３】
図６は、従来例に係り、フードを装着したレンズ鏡筒の断面図である。レンズ鏡筒１は、その後方に設けたマウント２を介して、カメラ本体（図示略）に取り付けられる。レンズ鏡筒本体１には、フォーカスリング３が設けてあり、レンズ鏡筒本体１の先端部には、フード４が着脱自在に装着される。
【０００４】
しかし、フード４の内周側に、積雪Ｓが付着して積雪し、撮影時の妨げとなることがある。撮影直前まで、レンズ鏡筒本体１の全体にカバー（図示略）を掛ける等の方策もあるが、ファインダーで像を確認することができず、ピントや露出の決定ができないという問題もあり、即座に撮影状況に入れないという問題があった。
【特許文献１】実用新案登録第３０４２１９９号公報
【発明の開示】
【発明が解決しようとする課題】
【０００５】
また、特許文献１のように、フード内に圧縮空気を吹き付けるものが知られている。しかしながら、圧縮空気を吹き付けるには、圧縮空気を貯蔵する必要があり、貯蔵分を消費してしまうと、使用不能になるという問題があった。また、コンプレッサを用いて圧縮空気を作る方法もあるが、構造が複雑化、大型化、重量化するという問題があった。さらに、パイブレータやヒータを用いたものが知られているが、別途、アクチュエータや電源を必要とするという問題があった。
【０００６】
本発明は、上述したような事情に鑑みてなされたものであって、簡単な構造で、しかもアクチュエータを必要とせず、降雪の撮影時に、フード内の積雪を確実に除去することができるレンズ鏡筒用フードを提供することを目的とする。
【課題を解決するための手段】
【０００７】
上記の目的を達成するため、本発明に係るレンズ鏡筒用フードは、撮影レンズを備えたレンズ鏡筒本体の先端部に着脱するレンズ鏡筒用フードにおいて、
前記フード内に、当該フードの内周面に略接しながら光軸方向に沿って移動可能であるリング状部材を有することを特徴とする。
【発明の効果】
【０００８】
本発明によれば、簡単な構造で、しかもアクチュエータを必要とせず、降雪の撮影時に、フード内の積雪を確実に除去することができる。
【発明を実施するための最良の形態】
【０００９】
以下、本発明の実施の形態に係るレンズ鏡筒用フードを図面を参照しつつ説明する。
【００１０】
図１は、本発明の第１実施の形態に係るレンズ鏡筒及びフードの断面図である。レンズ鏡筒本体１は、その後方に設けたマウント２を介して、カメラ本体（図示略）に取り付けられる。レンズ鏡筒本体１には、フォーカスリング３が設けてあり、レンズ鏡筒本体１の先端部には、フード４が取り付けられる。
【００１１】
フード４の内側には、フード４の内周面に略接しながら光軸方向Ｌに沿って移動可能であるリング状部材１０が設けてある。フード４には、軸方向案内溝１１と、後方から積雪Ｓを除去するための後方除雪用窓１２とが形成してある。リング状部材１０には、その外周縁に、軸方向案内溝１１に係合したピン１３を介して、撮影者用の操作部材１４が設けてある。
【００１２】
従って、操作部材１４を摘みながら、操作部材１４を軸方向案内溝１１に沿って光軸Ｌに平行な方向に移動する。これにより、リング状部材１０が光軸Ｌと平行な方向に移動し、フード４の内周に積もった積雪Ｓを、フード４の外側へ排出することができる。
【００１３】
以上から、本実施の形態では、撮影に有効な光線を遮断していた積雪Ｓを除去することができ、良好な撮影像、ファインダー像を確保することが可能である。また、一回の操作部材１４の操作で積雪Ｓを除去できない場合、フード４のカメラ本体側に設けた後方除雪用窓１２を併用するなど、操作部材１４を複数回操作することにより、積雪Ｓを除雪することも可能である。よって、本実施の形態によれば、簡単な構造で、しかもアクチュエータを必要とせず、降雪の撮影時に、フード４内の積雪Ｓを確実に除去することができる。
【００１４】
図２は、本発明の第２実施の形態に係るレンズ鏡筒及びフードの側面図である。図３は、図２に示したレンズ鏡筒及びフードの断面図である。図４は、図２に示したフードの正面図であって、羽根を拡径した状態の図である。図５は、図２に示したフードの正面図であって、羽根を縮径した状態の図である。
【００１５】
図３に示すように、リング状部材１０の軸方向外方には、羽根保持枠２０が設けてあり、リング状部材１０と、羽根保持枠２０とは、夫々のバヨネット部１５，２１を介して取り付けてある。
【００１６】
羽根保持枠２０の外周縁には、例えば２個のピン２２が設けてあり、フード４の内周面に形成した例えば２個の直進溝１１ａに係合してある。これにより、羽根保持枠２０は、光軸Ｌを中心軸として回転することなく、光軸Ｌに平行な方向に移動可能である。
【００１７】
羽根保持枠２０の内側には、複数枚の羽根３０が設けてある。各羽根３０には、支点軸３１と、カム軸３２とが設けてある。支点軸３１は、羽根保持枠２０に設けた軸穴２３に嵌合してあり、これにより、羽根３０は、支点軸３１を支点に回転可能である。カム軸３２は、リング状部材１０に形成したカム溝１６に嵌合してある。
【００１８】
フード４には、図２に示すように、周方向案内溝１７と、これに連通した軸方向案内溝１１とが略Ｌ字状に形成してある。なお、周方向案内溝１７と軸方向案内溝１１には、覆いやカバー等が設けてあることが好ましい。
【００１９】
以上から、操作部材１４を周方向案内溝１７に沿って回転すると、リング状部材１０は、光軸Ｌを中心として回転する。一方、羽根保持枠２０は、そのピン２２が直進溝１１ａに係合してあるため、回転することはない。
【００２０】
すなわち、回転するカム溝１６と、静止した軸穴２３とは、その相対位置が変化する。これに伴って、図５に示すように、複数の羽根３０は、回転するカム溝１６によって、そのカム軸３２がカム溝１６に沿って内径側に移動させられ、同時に、その支点軸３１を中心に回転する。その結果、複数の羽根３０は、その内周部が縮径した状態になる。
【００２１】
その後、図２及び３において、操作部材１４を軸方向案内溝１１に沿って光軸Ｌに平行に移動すると、羽根３０の内周部が縮径した状態で、リング状部材１０や羽根保持枠２０が光軸Ｌと平行な方向に移動し、フード４の内周に積もった積雪Ｓを、フード４の外側へ排出することができる。
【００２２】
以上から、本実施の形態では、縮径した状態の複数の羽根３０等により、撮影に有効な光線を遮断していた積雪Ｓを除去することができ、良好な撮影像、ファインダー像を確保することが可能である。また、一回の操作部材１４の操作で積雪Ｓを除去できない場合、操作部材１４を複数回操作することにより、積雪Ｓを除雪することも可能である。よって、本実施の形態によれば、簡単な構造で、しかもアクチュエータを必要とせず、降雪の撮影時に、フード４内の積雪Ｓを確実に除去することができる。
【００２３】
なお、本発明は、上述した実施の形態に限定されず、種々変形可能である。
【図面の簡単な説明】
【００２４】
【図１】本発明の第１実施の形態に係るレンズ鏡筒及びフードの断面図である。
【図２】本発明の第２実施の形態に係るレンズ鏡筒及びフードの側面図である。
【図３】図２に示したレンズ鏡筒及びフードの断面図である。
【図４】図２に示したフードの正面図であって、羽根を拡径した状態の図である。
【図５】図２に示したフードの正面図であって、羽根を縮径した状態の図である。
【図６】従来例に係り、フードを装着したレンズ鏡筒の断面図である。
【符号の説明】
【００２５】
１…レンズ鏡筒本体、４…フード、１０…リング状部材、１４…操作部材、３０…羽根
【図１】
2007033664.tif 000003
【図２】
2007033664.tif 000004
【図３】
2007033664.tif 000005
【図４】
2007033664.tif 000006
【図５】
2007033664.tif 000007
【図６】
2007033664.tif 000008